(57)【要約】【課題】外径の異なる水道管にも１種で対応可能であり、基板部がねじれてしまうことがなく容易に水道管に取り付けることのできる埋設ボックス用土砂流入防止板を提供する。【解決手段】埋設ボックス用土砂流入防止板１は、基板部２０における水道管配置用孔部２１を囲繞する周辺部には、周辺部から水道管配置用孔部２１に向かって差し出された弾性舌片部２５が水道管配置用孔部２１を中心に放射状に複数形成されており、さらに前記弾性舌片部２５は、水道管配置用孔部２１に水道管Ｐが配置されていない状態で、水道管配置用孔部２１に向かうに従い基板部２０の板厚方向に沿うように一方へ湾曲しており、水道管通過用スリット部２２を介して水道管配置用孔部２１に水道管Ｐが配置された状態で、水道管Ｐに弾接した状態となる。【選択図】図１
2018040239.tif 000002
【特許請求の範囲】
【請求項１】
所定位置に埋設される埋設ボックスに設けられている水道管挿通用孔部に挿通された水道管に取り付けられることで、前記埋設ボックスの外側から前記水道管挿通用孔部を被覆した状態となり、前記水道管挿通用孔部を介して前記埋設ボックス内へ土砂が流入することを防止する埋設ボックス用土砂流入防止板 であって、
基板部と、
前記基板部に貫通状に形成されており、前記水道管が配置される水道管配置用孔部と、
前記基板部の外縁から前記水道管配置用孔部に至るまで、前記基板部に貫通状に形成された水道管通過用スリット部と、
を具備し、
前記基板部における前記水道管配置用孔部を囲繞する周辺部には、前記周辺部から前記水道管配置用孔部に向かって差し出された弾性舌片部が形成されており、
さらに前記弾性舌片部は、
前記水道管配置用孔部に前記水道管が配置されていない状態で、前記水道管配置用孔部に向かうに従い前記基板部の板厚方向に沿うように一方へ湾曲しており、
前記水道管通過用スリット部を介して前記水道管配置用孔部に前記水道管が配置された状態で、前記水道管に弾接した状態となる
ことを特徴とする埋設ボックス用土砂流入防止板。
【請求項２】
前記水道管通過用スリット部と連続する前記基板部の外縁部には、前記水道管通過用スリット部に向かって傾斜する傾斜縁部が形成されている
請求項１に記載の埋設ボックス用土砂流入防止板。
【請求項３】
前記弾性舌片部が板片形状であって、前記弾性舌片部の板厚が、前記基板部の板厚よりも薄い部分を少なくとも含む
請求項１又は請求項２に記載の埋設ボックス用土砂流入防止板。
【請求項４】
前記弾性舌片部は、前記水道管配置用孔部を中心に放射状に複数形成されており、前記弾性舌片部の根本部には、前記弾性舌片部同士の離間距離よりも大きい内径の丸孔形状である切欠部が形成されている
請求項１乃至請求項３のいずれか１項に記載の埋設ボックス用土砂流入防止板。
【請求項５】
前記弾性舌片部は、先端に向かうに従って当該弾性舌片部の差し出し方向に直交する方向の外寸が小さくなっている
請求項１乃至請求項４のいずれか１項に記載の埋設ボックス用土砂流入防止板。
【請求項６】
請求項１乃至請求項５のいずれか１項に記載の埋設ボックス用土砂流入防止板と、
前記埋設ボックス用土砂流入防止板によって土砂の流入が防止される埋設ボックスと、
を含む
ことを特徴とする埋設ボックスセット。
【請求項７】
請求項１乃至請求項５のいずれか１項に記載の埋設ボックス用土砂流入防止板は、前記弾性舌片部が前記埋設ボックス側とは反対側へ湾曲しているように配されている
ことを特徴とする埋設ボックスの土砂流入防止構造。
【請求項８】
請求項１乃至請求項５のいずれか１項に記載の埋設ボックス用土砂流入防止板の取り付け方法であって、
前記水道管通過用スリット部に前記水道管を通過させることで前記水道管配置用孔部に前記水道管を配置して、前記弾性舌片部を前記水道管に弾接させる工程
を含むことを特徴とする埋設ボックス用土砂流入防止板の取り付け方法。
【請求項９】
所定位置に埋設される埋設ボックスに設けられている水道管挿通用孔部に挿通された水道管に取り付けられることで、前記埋設ボックスの外側から前記水道管挿通用孔部を被覆した状態となり、前記水道管挿通用孔部を介して前記埋設ボックス内へ土砂が流入することを防止する埋設ボックス用土砂流入防止板であって、
基板部と、
前記基板部に貫通状に形成されており、前記水道管が配置される水道管配置用孔部と、
前記基板部の外縁から前記水道管配置用孔部に至るまで、前記基板部に貫通状に形成された水道管通過用スリット部と、
を具備し、
前記基板部における前記水道管配置用孔部を囲繞する周辺部には、前記周辺部から前記水道管配置用孔部に向かって差し出された弾性舌片部が形成されており、
さらに前記弾性舌片部は、
前記水道管配置用孔部に前記水道管が配置されていない状態で、前記水道管配置用孔部に向かうに従い前記基板部の板厚方向に沿うように一方へ湾曲しており、
かつ、前記水道管配置用孔部に前記水道管が配置されていない状態の前記弾性舌片部の先端における水道管配置用孔部の最小孔径は、前記弾性舌片部の先端における前記水道管配置用孔部の位置に配される水道管の外径よりも径小である
ことを特徴とする埋設ボックス用土砂流入防止板。 
【発明の詳細な説明】
【技術分野】
【０００１】
本発明は、量水器あるいは止水栓等の機器が収容される埋設ボックス内に土砂が流入することを防止する埋設ボックス用土砂流入防止板、該埋設ボックス用土砂流入防止板を含む埋設ボックスセット、該埋設ボックス用土砂流入防止板を用いた埋設ボックスの土砂流入防止構造、及び埋設ボックス用土砂流入防止板の取り付け方法に関する。
【背景技術】
【０００２】
従来から、量水器あるいは止水栓等の機器が収容される埋設ボックスに設けられている水道管挿通用孔部から埋設ボックス内に土砂が流入することを防止する埋設ボックス用土砂流入防止板が種々提案されている。
【０００３】
例えば特許文献１には、水道管の外径に対応する中央透孔を具え且つ埋設ボックスの切欠孔を被う面積を有すると共に切欠孔に対向する土砂の圧力に耐えうる強度と中央透孔より外周縁まで切欠した切欠部とを有する弾性合成樹脂よりなる水道メーター埋設ボックス用カバーが開示されている。
【０００４】
また、特許文献２には、水道管挿通孔から縁辺に切り込みを設けた土留板を設け、この土留板にて筐体および底台の水道管導入部を覆うとともに、固定爪体をこの筐体と底台との係合孔に係合して、筐体と底台を連結した量水器筐が開示されている。
【０００５】
さらに、特許文献３には、合成樹脂製基板部の略中央部に設けた円形孔の周縁から放射状に多数の切溝を設けて適当長さの多数の扇形舌片を形成し、この各扇形舌片に適当間隔で円形孔と同心円状の数条の凹溝を形成した閉塞用当板が開示されている。
【先行技術文献】
【特許文献】
【０００６】
【特許文献１】実公昭４９−３４８３５号公報
【特許文献２】特許第３０４５５９１号公報
【特許文献３】実公昭５４−２６４９０号公報
【発明の概要】
【発明が解決しようとする課題】
【０００７】
しかしながら、上記特許文献１の水道メーター埋設ボックス用カバーにあっては、中央透孔の径が水道管の外径に対応している必要があるために、外径の異なる水道管ごとに異なる径の中央透孔を備える水道メーター埋設ボックス用カバーを用意しておく必要があり、汎用性に乏しい問題がある。
【０００８】
また、上記特許文献２の土留板や上記特許文献３の閉塞用当板にあっては、扇形舌片が平面状に形成されているために水道管の外径に合わせるように予め各舌片を折り込む必要があり、作業に手間がかかる。また、事前に各舌片を所要の長さに折り込んでおかないと、土留板や閉塞用当板が取付状態でねじれてしまう問題もある。
【０００９】
そこで本発明は、外径の異なる水道管にも１種で対応可能であり、しかも水道管に取り付けた際にもねじれてしまうことがなく容易に水道管に取り付けることのできる埋設ボックス用土砂流入防止板を提供することを目的とする。
【００１０】
また本発明は、前記埋設ボックス用土砂流入防止板を有する埋設ボックスセットを提供することを目的とする。
【００１１】
さらに本発明は、前記埋設ボックス用土砂流入防止板を有する埋設ボックスの土砂流入防止構造を提供することを目的とする。
【００１２】
そして本発明はさらに、前記埋設ボックス用土砂流入防止板の取り付け方法を提供することを目的とする。
【課題を解決するための手段】
【００１３】
本発明は、所定位置に埋設される埋設ボックスに設けられている水道管挿通用孔部に挿通された水道管に取り付けられることで、前記埋設ボックスの外側から前記水道管挿通用孔部を被覆した状態となり、前記水道管挿通用孔部を介して前記埋設ボックス内へ土砂が流入することを防止する埋設ボックス用土砂流入防止板であって、基板部と、前記基板部に貫通状に形成されており、前記水道管が配置される水道管配置用孔部と、前記基板部の外縁から前記水道管配置用孔部に至るまで、前記基板部に貫通状に形成された水道管通過用スリット部と、を具備し、前記基板部における前記水道管配置用孔部を囲繞する周辺部には、前記周辺部から前記水道管配置用孔部に向かって差し出された弾性舌片部が形成されており、さらに前記弾性舌片部は、前記水道管配置用孔部に前記水道管が配置されていない状態で、前記水道管配置用孔部に向かうに従い前記基板部の板厚方向に沿うように一方へ湾曲しており、前記水道管通過用スリット部を介して前記水道管配置用孔部に前記水道管が配置された状態で、前記水道管に弾接した状態となることを特徴とする埋設ボックス用土砂流入防止板である。
【００１４】
かかる構成にあっては、埋設ボックス用土砂流入防止板を水道管に取り付けた状態で、前記弾性舌片部の先端部が前記水道管の外周面に弾接して押し付けられる状態となり、前記水道管の外周面と弾性舌片部の先端部との間に隙間が生じにくくなる。このため、埋設ボックス内への土砂の流入防止効果が向上する。ここで、前記弾性舌片部の先端部が向く方向と、水道管の管軸方向とがほぼ一致した状態で当該弾性舌片部と当該水道管とが当接するため、弾性舌片部の長さを水道管の外径に厳密に対応させる必要がない。また、かかる構成では、弾性舌片部の先端部が水道管の外周面に対して適正位置で当接することになるため、水道管に埋設ボックス用土砂流入防止板を取り付けた際に、前記基板部がねじれてしまうことがない。また、上述のように弾性舌片部の長さを調整する必要がないため、外径が異なる多種の水道管に対して１種の埋設ボックス用土砂流入防止板で柔軟に対応することができる。
【００１５】
また、前記水道管通過用スリット部と連続する前記基板部の外縁部には、前記水道管通過用スリット部に向かって傾斜する傾斜縁部が形成されていることが望ましい。
【００１６】
かかる構成とすることにより、前記水道管の外周面に前記傾斜縁部を倣わせながら前記水道管通過用スリット部に水道管を案内することが可能となり、取り付け時の作業性が向上する。
【００１７】
さらに、前記弾性舌片部が板片形状であって、前記弾性舌片部の板厚が、前記基板部の板厚よりも薄い部分を少なくとも含むことが望ましい。
【００１８】
かかる構成とすることにより、強度確保の点で前記基板部の板厚を仮に厚くしたとしても、前記弾性舌片部を容易に弾性変形させることができる。
【００１９】
また、前記弾性舌片部は、前記水道管配置用孔部を中心に放射状に複数形成されており、前記弾性舌片部の根本部には、前記弾性舌片部同士の離間距離よりも大きい内径の丸孔形状である切欠部が形成されている構成が提案される。
【００２０】
かかる構成とすることにより、前記弾性舌片部が根本部から容易に弾性変形可能となる。また、前記弾性舌片部の根本部に過剰なせん断応力が加わって根本部が断裂してしまう、ことを好適に防止することができる。
【００２１】
また、前記弾性舌片部は、先端に向かうに従って当該弾性舌片部の差し出し方向に直交する方向の外寸が小さくなっていてもよい。
【００２２】
かかる構成とすることにより、前記弾性舌片部を水道管に当接した際に当該弾性舌片部の先端を水道管の形状に追従し易くすることができる。
【００２３】
そして本発明は、前記埋設ボックス用土砂流入防止板と、前記埋設ボックス用土砂流入防止板によって土砂の流入が防止される埋設ボックスと、を含むことを特徴とする埋設ボックスセットである。
【００２４】
かかる構成にあっては、土砂の流入を防止できる埋設ボックスを施工現場で迅速に準備し、そして施工することができる。
【００２５】
ここで、前記埋設ボックス用土砂流入防止板は、前記弾性舌片部が前記埋設ボックス側へ湾曲しているように配されていてもよいし、前記埋設ボックス側とは反対側へ湾曲しているように配されていてもよい。ただし、特に、前記埋設ボックス用土砂流入防止板は、前記弾性舌片部が前記埋設ボックス側とは反対側へ湾曲しているように配されていることを特徴とする埋設ボックスの土砂流入防止構造が望ましい。
【００２６】
かかる構成にあっては、土砂の流入方向と前記弾性舌片部の湾曲方向とを対向させることが可能となるため、土砂が前記埋設ボックス内に流入しにくい埋設ボックスの土砂流入防止構造を構築することができる。
【００２７】
またさらに本発明は、前記埋設ボックス用土砂流入防止板の取り付け方法であって、前記水道管通過用スリット部に前記水道管を通過させることで前記水道管配置用孔部に前記水道管を配置して、前記弾性舌片部を前記水道管に弾接させる工程を含むことを特徴とする埋設ボックス用土砂流入防止板の取り付け方法である。
【００２８】
かかる構成にあっては、前記埋設ボックス用土砂流入防止板を前記水道管に容易に取り付けることができると共に、前記埋設ボックス内へ土砂が流入することを好適に防止することができる。
【００２９】
また本発明は、所定位置に埋設される埋設ボックスに設けられている水道管挿通用孔部に挿通された水道管に取り付けられることで、前記埋設ボックスの外側から前記水道管挿通用孔部を被覆した状態となり、前記水道管挿通用孔部を介して前記埋設ボックス内へ土砂が流入することを防止する埋設ボックス用土砂流入防止板であって、基板部と、前記基板部に貫通状に形成されており、前記水道管が配置される水道管配置用孔部と、前記基板部の外縁から前記水道管配置用孔部に至るまで、前記基板部に貫通状に形成された水道管通過用スリット部と、を具備し、前記基板部における前記水道管配置用孔部を囲繞する周辺部には、前記周辺部から前記水道管配置用孔部に向かって差し出された弾性舌片部が形成されており、さらに前記弾性舌片部は、前記水道管配置用孔部に前記水道管が配置されていない状態で、前記水道管配置用孔部に向かうに従い前記基板部の板厚方向に沿うように一方へ湾曲しており、かつ、前記水道管配置用孔部に前記水道管が配置されていない状態の前記弾性舌片部の先端における水道管配置用孔部の最小孔径は、前記弾性舌片部の先端における前記水道管配置用孔部の位置に配される水道管の外径よりも径小であることを特徴とする埋設ボックス用土砂流入防止板である。
【００３０】
かかる構成とすることにより、埋設ボックス用土砂流入防止板を水道管に取り付けて前記水道管配置用孔部に水道管を配置すると、前記水道管によって前記弾性舌片部が押し広げられた状態となり、前記弾性舌片部の先端部が前記水道管の外周面に弾接した状態となる。このため、前記水道管の外周面と弾性舌片部の先端部との間に隙間が生じにくくなる。また、上述のように、前記弾性舌片部の先端部が向く方向と、水道管の管軸方向とがほぼ一致した状態で当該弾性舌片部と当該水道管とが当接するため、弾性舌片部の長さを水道管の外径に厳密に対応させる必要がない。また、かかる構成では、弾性舌片部の先端部が水道管の外周面に対して適正位置で当接することになるため、水道管に埋設ボックス用土砂流入防止板を取り付けた際に、前記基板部がねじれてしまうことがない。また、上述のように弾性舌片部の長さを調整する必要がないため、外径が異なる多種の水道管に対して１種の埋設ボックス用土砂流入防止板で柔軟に対応することができる。ここで、前記弾性舌片部の先端における水道管配置用孔部の最小孔径は、弾性舌片部の先端が位置している箇所における水道管配置用孔部の内径に相当する。また、前記弾性舌片部の先端における前記水道管配置用孔部の位置に配される水道管の外径は、水道管の外径のうち、水道管配置用孔部に配置されたときに弾性舌片部の先端が位置している箇所の水道管の外径に相当する。
【発明の効果】
【００３１】
本発明にかかる埋設ボックス用土砂流入防止板は、土砂の流入防止効果が高いと共に、外径の異なる水道管にも１種で対応可能であり、しかも水道管に取り付けた際にもねじれてしまうことがなく容易に水道管に取り付けることができる効果がある。
【００３２】
また本発明にかかる埋設ボックスセットは、前記埋設ボックス用土砂流入防止板を有する埋設ボックスを提供することができる効果がある。
【００３３】
さらに本発明にかかる埋設ボックスの土砂流入防止構造は、埋設ボックス内へ土砂が流入することを適正に阻止することができる効果がある。
【００３４】
そして本発明にかかる埋設ボックス用土砂流入防止板の取り付け方法は、水道管に対して埋設ボックス用土砂流入防止板を迅速に取り付けることができる効果がある。
【図面の簡単な説明】
【００３５】
【図１】実施例１の埋設ボックス用土砂流入防止板を示す外観斜視図である。
【図２】実施例１の埋設ボックス用土砂流入防止板を示し、（ａ）は正面図、（ｂ）は右側面図、（ｃ）は背面図である。
【図３】（ａ）は実施例１にかかる埋設ボックス及び水道管を示す斜視図であり、（ｂ）は実施例１にかかる埋設ボックスの土砂流入防止構造を示す斜視図である。
【図４】実施例１にかかる埋設ボックス用土砂流入防止板を水道管に取り付ける過程を示す説明図である。
【図５】実施例２の埋設ボックス用土砂流入防止板を示し、（ａ）は正面図、（ｂ）は右側面図、（ｃ）は背面図である。
【図６】実施例２にかかる埋設ボックス用土砂流入防止板を水道管に取り付ける過程を示す説明図である。
【図７】（ａ）は、実施例１の埋設ボックス用土砂流入防止板における弾性舌片部の部分側断面図であり、（ｂ）は、実施例３の埋設ボックス用土砂流入防止板における弾性舌片部の部分側断面図である。
【図８】変形例にかかる弾性舌片部の部分側断面図である。
【図９】他の土砂流入防止構造を示す説明図である。
【発明を実施するための形態】
【００３６】
以下、本発明の埋設ボックス用土砂流入防止板、埋設ボックスセット、埋設ボックスの土砂流入防止構造、及び埋設ボックス用土砂流入防止板の取り付け方法を具体化した実施例を詳細に説明する。なお、本発明の埋設ボックス用土砂流入防止板は、下記に示す埋設ボックス用土砂流入防止板１〜３に限定されることはなく、適宜設計変更が可能である。
【００３７】
〔実施例１〕
図１，図２に示したように、埋設ボックス用土砂流入防止板１は、平板形状の基板部２０を具備している。本実施例における基板部２０は四角板形状であり、縦長さは１２５ｍｍ、横長さは１１０ｍｍ、及び板厚は２ｍｍである。また、４つの角部は、Ｒ２０の面取りがなされている。
【００３８】
また、基板部２０の略中央部には、内径が１０ｍｍの円形状をなした水道管配置用孔部２１が基板部２０の板厚方向に沿って貫通状に形成されている。また、基板部２０には、当該基板部２０の外縁と水道管配置用孔部２１とを繋ぐ水道管通過用スリット部２２が形成されている。水道管通過用スリット部２２は、基板部２０の板厚方向に沿って貫通状に形成されており、基板部２０の縦辺に沿って筋状に形成されている。なお、水道管通過用スリット部２２のスリット幅は、１ｍｍである。
【００３９】
かかる構成により、基板部２０は、水道管通過用スリット部２２を基準として一側の第一基板部分割部２０ａと、他側の第二基板部分割部２０ｂとに部分的に分割されている。
【００４０】
さらに基板部２０における水道管配置用孔部２１を囲繞する周辺部には、周辺部から水道管配置用孔部２１に向かって差し出された板状で先細り形状の弾性舌片部２５が水道管配置用孔部２１を中心に放射状に複数（本実施例においては２０個）形成されている。なお、各弾性舌片部２５は、微少な間隔をおいて互いに隣接している。
【００４１】
また、弾性舌片部２５は、図１，図２（ｂ）等に示したように、先端側に配された水道管配置用孔部２１に向かうに従って基板部２０の板厚方向に沿うように一方へ湾曲している。
【００４２】
さらに基板部２０における互いに隣り合う弾性舌片部２５の基端である根本部には、弾性舌片部２５同士の離間距離よりも大きい内径の丸孔形状である切欠部２７が各々貫通状に形成されている。
【００４３】
さらに、水道管通過用スリット部２２と連続する基板部２０の外縁部には、水道管通過用スリット部２２に向かって傾斜する傾斜縁部３１，３２が形成されている。具体的には、第一基板部分割部２０ａに第一傾斜縁部３１が形成されており、第二基板部分割部２０ｂに第二傾斜縁部３２が形成されている。
【００４４】
次に、図３，４に従って、埋設ボックス用土砂流入防止板１の取り付け方法を詳述する。
【００４５】
図３（ａ）に示すように、量水器及び／又は止水栓等の機器が収容される埋設ボックス１５の左右両側面には、各々水道管挿通用孔部１６が設けられており、埋設ボックス１５が所定位置に埋設された状態では、水道管挿通用孔部１６に水道管Ｐが挿通されている。
【００４６】
そして、埋設ボックス用土砂流入防止板１における弾性舌片部２５の先端部を埋設ボックス１５の水道管挿通用孔部１６に向けた上で、図４に示したように、かかる水道管Ｐの外周面に対して、埋設ボックス用土砂流入防止板１の基板部２０に形成された傾斜縁部３１，３２を圧接させながら、基板部２０の第一基板部分割部２０ａと第二基板部分割部２０ｂとを水道管Ｐの管軸に沿って互いに離開させて、水道管通過用スリット部２２に水道管Ｐを案内する。次いで、水道管通過用スリット部２２に水道管Ｐを通過させた後、図３（ｂ）に示すように、水道管Ｐで各弾性舌片部２５を弾性変形させて水道管配置用孔部２１を押し広げながら水道管Ｐを水道管配置用孔部２１に配置する。ここで、弾性舌片部２５の先端における水道管配置用孔部２１の最小孔径Ｄ１（図２参照）は、弾性舌片部２５の先端における水道管配置用孔部２１の位置に配される水道管Ｐの外径Ｄ２（図４参照）よりも径小となっている。
【００４７】
そして、埋設ボックス用土砂流入防止板１で埋設ボックス１５の外側から水道管挿通用孔部１６を被覆した状態とする。これによって埋設ボックス１５の土砂流入防止構造１０を構築することができる。なお、埋設ボックス用土砂流入防止板１を水道管Ｐに取り付ける工程で、弾性舌片部２５の長さを水道管Ｐの外径に対応させてあらかじめ長さ調整する必要はない。
【００４８】
このように、埋設ボックス用土砂流入防止板１を水道管Ｐに取り付けた状態では、弾性舌片部２５が水道管Ｐに弾接した状態となっている。したがって、水道管Ｐの周方向において水道管Ｐの外周面と弾性舌片部２５との間に隙間が生じにくくなっており、埋設ボックス１５内への土砂の流入が抑制されている。なお、弾性舌片部２５の先端部が向く方向と、水道管Ｐの管軸方向とがほぼ一致した状態で当該弾性舌片部２５と当該水道管Ｐとが当接するため、弾性舌片部２５の長さを水道管Ｐの外径に厳密に対応させる必要がない。また、各弾性舌片部２５の先端部が水道管Ｐの外周面に対して各々均一に当接するため、水道管Ｐに埋設ボックス用土砂流入防止板１を取り付けた際に基板部２０がねじれてしまうことがない。
【００４９】
なお、弾性舌片部２５の根本部には、上述のように切欠部２７が形成されているため、弾性舌片部２５が根本部から容易に弾性変形可能となり、せん断応力による根本部の断裂を好適に防止することができる。
【００５０】
また、基板部２０の外縁部には、水道管Ｐを水道管通過用スリット部２２に案内する傾斜縁部３１，３２が形成されているため、水道管Ｐの外周面に傾斜縁部３１，３２を倣わせながら水道管通過用スリット部２２に水道管Ｐを円滑に配置することができる。
【００５１】
また、単体の埋設ボックス１５と、所要の数の埋設ボックス用土砂流入防止板１とを１組とした埋設ボックスセットとした場合には、土砂の流入を防止できる埋設ボックス１５を施工現場で迅速に準備し、そして施工することができる。
【００５２】
〔実施例２〕
次に、他の実施例にかかる埋設ボックス用土砂流入防止板２を、図５に従って説明する。
【００５３】
図５に示すように、埋設ボックス用土砂流入防止板２にあっては、第一基板部分割部２０ａの外縁部における水道管通過用スリット部２２に臨む部位に、第一水道管案内部３３が設けられている。かかる第一水道管案内部３３は、基板部２０に対して一側に小さく反り上がるような湾曲形状をなし、基板部２０の板厚方向に沿って一方に傾斜した第一傾斜面３５が形成されている。
【００５４】
一方、第二基板部分割部２０ｂの外縁部における水道管通過用スリット部２２に臨む部位には、第二水道管案内部３４が設けられている。かかる第二水道管案内部３４は、基板部２０対して他側に小さく反り上がるような湾曲形状をなし、基板部２０の板厚方向に沿って他方に傾斜した第二傾斜面３６が形成されている。
【００５５】
かかる構成にあっては、図６に示すように、各水道管案内部３３，３４の傾斜面３５，３６をそれぞれ水道管Ｐの外周面に押し当てながら基板部分割部２０ａ，２０ｂを互いに異なる方向に湾曲させて離開させることができ、水道管通過用スリット部２２が円滑に拡開する。
【００５６】
なお、これまでに述べた実施例において、各部の寸法形状は適宜自由に設定可能である。
【００５７】
また、実施例１にかかる埋設ボックス用土砂流入防止板１において、図７（ａ）に示すように、弾性舌片部２５の板厚は基板部２０の板厚よりも薄い構成とすることが好ましい。かかる構成とすることにより、仮に強度確保の点で基板部２０の板厚が厚くなったとしても、弾性舌片部２５を容易に弾性変形させることができる。
【００５８】
これに対して、図７（ｂ）に示すような実施例３にかかる埋設ボックス用土砂流入防止板３としてもよい。さらに詳述すると、本実施例においては、弾性舌片部４５の板厚と、基板部２０の板厚とが同じ構成となっている。かかる構成とすることにより、埋設ボックス用土砂流入防止板３の構造が簡素となり、製造コストが低減される利点がある。
【００５９】
なお、埋設ボックス用土砂流入防止板１〜３は、例えば 再生ポリプロピレン（Ｒ−ＰＰ）等のような可撓性のある合成樹脂で構成されていることが望ましい。
【００６０】
また、図８に示すように、変形例にかかる埋設ボックス用土砂流入防止板４にあっては、弾性舌片部５５が、先端に向かうに従って板厚（差し出し方向に直交する方向の外寸）が薄くなる構造を具備している。かかる構成とすることにより、弾性舌片部５５の先端が弾性変形し易くなり、水道管Ｐの形状に追従し易くなる。なお、これまでに述べた弾性舌片部２５，４５，５５は、板片形状に限定されることはなく、断面が円形状、多角形又は異形等であってもよい。
【００６１】
また、図９に示すように、他の土砂流入防止構造１１にあっては、土砂が流入しようとする方向と湾曲した弾性舌片部２５の差し出し方向とを対向させて埋設ボックス用土砂流入防止板１を配置することができる。
【００６２】
具体的には、埋設ボックス用土砂流入防止板１を水道管Ｐに装着するときは、弾性舌片部２５の先端部を埋設ボックス１５の水道管挿通用孔部１６とは反対側に向けた上で、水道管通過用スリット部２１に水道管Ｐを通過させる。かかる構成とすることにより、土砂が埋設ボックス１５内に流入しにくい土砂流入防止構造１１を構築することができる。
【符号の説明】
【００６３】
１〜３                埋設ボックス用土砂流入防止板
１０，１１            埋設ボックスの土砂流入防止構造
１５                  埋設ボックス
１６                  水道管挿通用孔部
２０                  基板部
２１                  水道管配置用孔部
２２                  水道管通過用スリット部
２５，４５，５５      弾性舌片部
２７                  切欠部
３１                  第一傾斜縁部
３２                  第二傾斜縁部
Ｐ                    水道管 
【図１】
2018040239.tif 000003
【図２】
2018040239.tif 000004
【図３】
2018040239.tif 000005
【図４】
2018040239.tif 000006
【図５】
2018040239.tif 000007
【図６】
2018040239.tif 000008
【図７】
2018040239.tif 000009
【図８】
2018040239.tif 000010
【図９】
2018040239.tif 000011